【手続補正書】
【提出日】平成22年5月13日(2010.5.13)
【手続補正１】
【補正対象書類名】特許請求の範囲
【補正対象項目名】全文
【補正方法】変更
【補正の内容】
【特許請求の範囲】
【請求項１】
複数のフレームからなる画像信号、その画像信号に対応する同期信号よりなる複合画像信号を受信し、それぞれの信号を出力する信号入力手段と、
前記信号入力手段から入力された信号を表示素子で表示可能な信号に変換する表示用信号生成手段と、
前記表示装置の向きを検出する装置向き検出手段を備え、当該表示装置の向きを示す装置向き情報を前記表示装置の状態を示す情報として出力する装置状態検出手段と、
前記装置向き情報に基づき、前記表示装置の設置状態の変化に応じた補正量を算出し、当該補正量を示す信号を出力する演算手段と、
前記補正量を示す信号に基づき表示素子のムラを補正するムラ補正手段と、
前記ムラ補正手段によって補正された複合画像信号を受信し、該複合画像信号から正味の画像信号を取り出して表示する表示手段とを備えることを特徴とする画像表示装置。
【請求項２】
前記装置状態検出手段は、前記表示装置の温度を検出する装置温度検出手段をさらに有し、当該表示装置の温度を示す装置温度情報を前記表示装置の状態を示す情報として出力し、
前記演算手段は、前記装置温度情報に基づき、前記表示装置の温度状態の変化に応じた補正量を算出し、当該補正量を示す信号を出力することを特徴とする請求項１に記載の画像表示装置。
【請求項３】
前記装置状態検出手段は、前記表示装置の向きが変わってからの動作時間を検出する装置動作時間検出手段をさらに有し、当該表示装置の前記動作時間を示す装置動作時間情報を前記表示装置の状態を示す情報として出力し、
前記演算手段は、前記装置動作時間情報に基づき、前記表示装置の向きが変わってからの状態に応じた補正量を算出し、当該補正量を示す信号を出力することを特徴とする請求項１あるいは２に記載の画像表示装置。
【請求項４】
前記演算手段は、予め装置状態に応じたムラ補正条件を記憶する記憶手段を持ち、当該補正条件と装置状態検出手段で検出した装置の状態を比較し、最適なムラ補正条件を選択して出力することを特徴とする請求項１から３の何れか一項に記載の画像表示装置。
【請求項５】
前記演算手段は、予め装置状態に応じたムラ補正条件の一部を記憶する記憶手段を持ち、当該補正条件と装置状態検出手段で検出した装置の状態を比較し、近似の装置状態における補正条件同士から演算することで最適なムラ補正条件を出力することを特徴とする請求項１から３の何れか一項に記載の画像表示装置。
【請求項６】
前記演算手段は、予め装置状態に応じたムラ補正条件を導き出す演算式を記憶する記憶手段を持ち、装置状態検出手段で検出した装置の状態に基づいて、最適なムラ補正条件を演算で導き出し出力することを特徴とする請求項１から３の何れか一項に記載の画像表示装置。
【請求項７】
前記演算手段は、ムラ補正量を変更するタイミングを外部から得るための入力手段を有することを特徴とする請求項１から６の何れか一項に記載の画像表示装置。
【請求項８】
前記演算手段は、前記装置状態検出手段の検出結果を監視し、表示手段で発生するムラを軽減するようにムラ補正手段を常時制御することを特徴とする請求項１から６の何れか一項に記載の画像表示装置。
【請求項９】
前記演算手段は、装置状態検出手段の検出結果を監視し、装置の状態が前回補正を実施した際の装置状態から一定量の差が出たときに、表示手段で発生するムラを軽減するように補正するようにムラ補正手段を制御することを特徴とする請求項１から６の何れか一項に記載の画像表示装置。
【請求項１０】
前記演算手段は、外部から与えられた制御信号と、装置状態検出手段の検出結果とに基づいて表示手段で発生するムラを軽減するようにムラ補正手段を制御することを特徴とする請求項１から６の何れか一項に記載の画像表示装置。
【手続補正２】
【補正対象書類名】明細書
【補正対象項目名】００１４
【補正方法】変更
【補正の内容】
【００１４】
本発明は上記の課題を解決するためになされたもので、請求項１に記載の発明は、複数のフレームからなる画像信号、その画像信号に対応する同期信号よりなる複合画像信号を受信し、それぞれの信号を出力する信号入力手段と、前記信号入力手段から入力された信号を表示素子で表示可能な信号に変換する表示用信号生成手段と、前記表示装置の向きを検出する装置向き検出手段を備え、当該表示装置の向きを示す装置向き情報を前記表示装置の状態を示す情報として出力する装置状態検出手段と、前記装置向き情報に基づき、前記表示装置の設置状態の変化に応じた補正量を算出し、当該補正量を示す信号を出力する演算手段と、前記補正量を示す信号に基づき表示素子のムラを補正するムラ補正手段と、前記ムラ補正手段によって補正された複合画像信号を受信し、該複合画像信号から正味の画像信号を取り出して表示する表示手段とを備えることを特徴とする画像表示装置である。
【手続補正３】
【補正対象書類名】明細書
【補正対象項目名】００１５
【補正方法】変更
【補正の内容】
【００１５】
また、請求項２に記載の発明は、前記装置状態検出手段が、前記表示装置の温度を検出する装置温度検出手段をさらに有し、当該表示装置の温度を示す装置温度情報を前記表示装置の状態を示す情報として出力し、前記演算手段は、前記装置温度情報に基づき、前記表示装置の温度状態の変化に応じた補正量を算出し、当該補正量を示す信号を出力することを特徴とする請求項１に記載の画像表示装置である。
【手続補正４】
【補正対象書類名】明細書
【補正対象項目名】００１６
【補正方法】変更
【補正の内容】
【００１６】
また、請求項３に記載の発明は、前記装置状態検出手段が、前記表示装置の向きが変わってからの動作時間を検出する装置動作時間検出手段をさらに有し、当該表示装置の前記動作時間を示す装置動作時間情報を前記表示装置の状態を示す情報として出力し、前記演算手段は、前記装置動作時間情報に基づき、前記表示装置の向きが変わってからの状態に応じた補正量を算出し、当該補正量を示す信号を出力することを特徴とする請求項１あるいは２に記載の画像表示装置である。
【手続補正５】
【補正対象書類名】明細書
【補正対象項目名】００１７
【補正方法】変更
【補正の内容】
【００１７】
また、請求項４に記載の発明は、前記演算手段が、予め装置状態に応じたムラ補正条件を記憶する記憶手段を持ち、当該補正条件と装置状態検出手段で検出した装置の状態を比較し、最適なムラ補正条件を選択して出力することを特徴とする請求項１から３の何れか一項に記載の画像表示装置である。
【手続補正６】
【補正対象書類名】明細書
【補正対象項目名】００１８
【補正方法】変更
【補正の内容】
【００１８】
また、請求項５に記載の発明は、前記演算手段が、予め装置状態に応じたムラ補正条件の一部を記憶する記憶手段を持ち、当該補正条件と装置状態検出手段で検出した装置の状態を比較し、近似の装置状態における補正条件同士から演算することで最適なムラ補正条件を出力することを特徴とする請求項１から３の何れか一項に記載の画像表示装置である。
【手続補正７】
【補正対象書類名】明細書
【補正対象項目名】００１９
【補正方法】変更
【補正の内容】
【００１９】
また、請求項６に記載の発明は、前記演算手段が、予め装置状態に応じたムラ補正条件を導き出す演算式を記憶する記憶手段を持ち、装置状態検出手段で検出した装置の状態に基づいて、最適なムラ補正条件を演算で導き出し出力することを特徴とする請求項１から３の何れか一項に記載の画像表示装置である。
【手続補正８】
【補正対象書類名】明細書
【補正対象項目名】００２０
【補正方法】変更
【補正の内容】
【００２０】
また、請求項７に記載の発明は、前記演算手段が、ムラ補正量を変更するタイミングを外部から得るための入力手段を有することを特徴とする請求項１から６の何れか一項に記載の画像表示装置である。
【手続補正９】
【補正対象書類名】明細書
【補正対象項目名】００２１
【補正方法】変更
【補正の内容】
【００２１】
また、請求項８に記載の発明は、前記演算手段が、前記装置状態検出手段の検出結果を監視し、表示手段で発生するムラを軽減するようにムラ補正手段を常時制御することを特徴とする請求項１から６の何れか一項に記載の画像表示装置である。
【手続補正１０】
【補正対象書類名】明細書
【補正対象項目名】００２２
【補正方法】変更
【補正の内容】
【００２２】
また、請求項９に記載の発明は、前記演算手段が、装置状態検出手段の検出結果を監視し、装置の状態が前回補正を実施した際の装置状態から一定量の差が出たときに、表示手段で発生するムラを軽減するように補正するようにムラ補正手段を制御することを特徴とする請求項１から６の何れか一項に記載の画像表示装置である。
【手続補正１１】
【補正対象書類名】明細書
【補正対象項目名】００２３
【補正方法】変更
【補正の内容】
【００２３】
また、請求項１０に記載の発明は、前記演算手段が、外部から与えられた制御信号と、装置状態検出手段の検出結果とに基づいて表示手段で発生するムラを軽減するようにムラ補正手段を制御することを特徴とする請求項１から６の何れか一項に記載の画像表示装置である。
【手続補正１２】
【補正対象書類名】明細書
【補正対象項目名】００２４
【補正方法】削除
【補正の内容】